(57)【特許請求の範囲】
【請求項１】
金属板で構成した抵抗体と、この抵抗体の両端部に形成された一対の金属端子とを備え、前記一対の金属端子のそれぞれの先端部を３つの脚部に分割し、かつこれらの脚部をそれぞれ同じ方向に突出させるとともに互いに平行になるように配置して、前記脚部が電流通電方向と垂直な方向における同じ位置で分割されるようにし、さらに、前記一対の金属端子の先端部において、前記脚部のうち両端に位置する脚部を電圧測定用端子とし、他の脚部を電流用端子とした抵抗器。
【請求項２】
請求項１記載の抵抗器において、電圧測定用端子となる脚部、または電流用端子を下方に折り曲げるようにして実装基板に実装するようにした抵抗器の実装方法。
【請求項３】
請求項１記載の抵抗器において、一方の電圧測定用端子で検出された電圧と、他方の電圧測定用端子で検出された電圧を加算することによって、電流値を検出するようにした抵抗器の測定方法。
【発明の詳細な説明】
【技術分野】
【０００１】
本発明は、各種電子機器の電流値を電圧値として検出するための低抵抗値の抵抗器に関するものである。
【背景技術】
【０００２】
従来のこの種の抵抗器は、図６に示すように、金属板で構成した抵抗体１と、この抵抗体１の両端部に形成された一対の金属端子２とを備え、そして、前記一対の金属端子２のそれぞれの先端部を２つの脚部２ａ、２ｂに分割し、かつこの２つの脚部の一方２ａを電流用端子、他方２ｂを電圧測定用端子として使用していた。
【０００３】
なお、この出願の発明に関する先行技術文献情報としては、例えば、特許文献１が知られている。
【先行技術文献】
【特許文献】
【０００４】
【特許文献１】特開平８−１１５８０２号公報
【発明の概要】
【発明が解決しようとする課題】
【０００５】
上記した従来の抵抗器においては、電流用端子に対して電圧測定用端子が片側のみに位置しているため、検出された電流値の精度が悪化する可能性があるという課題を有していた。
【０００６】
すなわち、図７に示すように、電流用端子３に対して電圧測定用端子４が片側のみに位置している場合で、実装基板上において抵抗器の片側と接続されるランドパターンの幅が抵抗器の幅より広いとき、電流が電圧測定用端子４の近傍を流れる場合（実線）と、電流が電圧測定用端子４の遠い位置を流れる場合（破線）とがあり、そして、電流が電圧測定用端子４の近傍を流れる場合は電圧測定用端子４が測定できる電流が大きく（電位が高く）なり、一方、電流が電圧測定用端子４の遠い位置を流れる場合は電圧測定用端子４が測定できる電流が小さく（電位が低く）なるため、同じ電流を流しても電圧測定用端子４で検出される電圧値は変動し、この結果、検出された電流値も変動してしまうからである。
【０００７】
本発明は上記従来の課題を解決するもので、電流値を精度よく検出できる抵抗器を提供することを目的とするものである。
【課題を解決するための手段】
【０００８】
上記目的を達成するために、本発明は以下の構成を有するものである。
【０００９】
本発明の請求項１に記載の発明は、金属板で構成した抵抗体と、この抵抗体の両端部に形成された一対の金属端子とを備え、前記一対の金属端子のそれぞれの先端部を３つの脚部に分割し、かつこれらの脚部をそれぞれ同じ方向に突出させるとともに互いに平行になるように配置して、前記脚部が電流通電方向と垂直な方向における同じ位置で分割されるようにし、さらに、前記一対の金属端子の先端部において、前記脚部のうち両端に位置する脚部を電圧測定用端子とし、他の脚部を電流用端子としたもので、この構成によれば、３つの脚部のうち２つを電圧測定用端子、１つを電流用端子とし、１つの電流用端子に対してその両側に２つの電圧測定用端子を配置することができるため、電流が一方の電圧測定用端子の遠い位置を流れる場合でも、他方の電圧測定用端子の近傍を流れることになり、これにより、電圧測定用端子が測定できる電流が大きくなったり小さくなったりすることはなくなるため、同じ電流を流した場合、電圧測定用端子で検出される電圧値が変動するということはなくなり、この結果、電流値を精度よく検出できるという作用効果が得られるものである。
【発明の効果】
【００１０】
以上のように本発明の抵抗器は、３つの脚部のうち２つを電圧測定用端子、１つを電流用端子とし、１つの電流用端子に対してその両側に２つの電圧測定用端子を配置することができるため、電流が一方の電圧測定用端子のより遠い位置を流れる場合でも、他方の電圧測定用端子の近傍を流れることになり、これにより、電圧測定用端子が測定できる電流が大きくなったり小さくなったりすることはなくなるため、同じ電流を流した場合、電圧測定用端子で検出される電圧値が変動するということを防止でき、この結果、電流値を精度よく検出できるという優れた効果を奏するものである。
【図面の簡単な説明】
【００１１】
【図１】本発明の一実施の形態における抵抗器の斜視図
【図２】同抵抗器を含む回路の模式図
【図３】同抵抗器の他の例を示す斜視図
【図４】同抵抗器の他の例を示す斜視図
【図５】同抵抗器の他の例を示す斜視図
【図６】従来の抵抗器の斜視図
【図７】同抵抗器を含む回路の模式図
【発明を実施するための形態】
【００１２】
以下、本発明の一実施の形態における抵抗器について図面を参照しながら説明する。
【００１３】
図１は本発明の一実施の形態における抵抗器の斜視図である。
【００１４】
本発明の一実施の形態における抵抗器は、図１に示すように、金属板で構成した抵抗体１１と、この抵抗体１１の両端部に形成された一対の金属端子１２とを備えている。そして、前記一対の金属端子１２のそれぞれの先端部を３つの脚部１２ａ、１２ｂ、１２ｃに分割し、かつこれらの脚部１２ａ、１２ｂ、１２ｃをそれぞれ同じ方向に突出させるとともに互いに平行になるように配置して、前記脚部１２ａ、１２ｂ、１２ｃが電流通電方向と垂直な方向における同じ位置で分割されるようにしているものである。
【００１５】
上記構成において、前記抵抗体１１は、その形状が直方体で、銅ニッケル、ニクロム、マンガニン等の金属板により構成されている。
【００１６】
また、前記一対の金属端子１２は、前記抵抗体１１より電気伝導度が大きな金属、例えば金、銀、銅、アルミニウム等の金属により板状に構成され、かつ抵抗体１１の両端部に形成されている。そして、この金属端子１２は前記抵抗体１１の下面に、レーザ溶接、超音波溶接、電気溶接、熱間接合、クラッド接合等の方法で接合され、これにより、金属端子１２は抵抗体１１の下面と電気的に接続される。また、一対の金属端子１２および脚部１２ａ、１２ｂ、１２ｃと抵抗体１１とは直線状に配置され、電流は一対の金属端子１２間に流れる。
【００１７】
さらに、一対の金属端子１２のそれぞれの先端部は、電流通電方向と平行な方向に切り込まれた２つのスリットによって３つの脚部１２ａ、１２ｂ、１２ｃに分割されている。すなわち、一方の金属端子１２の先端部は３つの脚部１２ａ、１２ｂ、１２ｃに分割され、そして、これらの脚部１２ａ、１２ｂ、１２ｃは同じ方向に突出しているものであり、また、他方の金属端子１２の先端部も３つの脚部１２ａ、１２ｂ、１２ｃに分割され、そして、これらの脚部１２ａ、１２ｂ、１２ｃも同じ方向に突出するように設けられており、したがって、脚部は計６つ形成されている。ここで、一方の金属端子１２に設けられた脚部と他方の金属端子１２に設けられた脚部とは互いに逆方向に向いている。そして、一対の金属端子１２のそれぞれの先端部において、両端の脚部１２ａ、１２ｃが電圧測定用端子として使用され、かつこの両端の脚部１２ａ、１２ｃ間に挟まれた脚部１２ｂが電流用端子として使用される。さらに、電流用端子として使用される脚部１２ｂの幅は、電圧測定用端子として使用される脚部１２ａ、１２ｃの幅より広くなっている。また、一対の金属端子１２のそれぞれにおいて、３つの脚部１２ａ、１２ｂ、１２ｃは互いに上面視にて平行になるように配置している。
【００１８】
そしてまた、３つの脚部１２ａ、１２ｂ、１２ｃは電流通電方向と垂直な方向における同じ位置（図１の破線で表される電流通電方向と直交する線）で分割される必要がある。この場合、異なる位置で分割されると、２つの電圧測定用端子で測定される電圧値（抵抗値）が異なり、正確な電流値が測定できないからである。
【００１９】
また、抵抗体１１の上面、および一対の金属端子１２間における抵抗体１１の下面には保護膜（図示せず）が形成され、一対の金属端子１２のうち少なくとも脚部１２ａ、１２ｂ、１２ｃには銅めっき、錫めっきからなるめっき層（図示せず）が形成されている。
【００２０】
なお、抵抗体１１と一対の金属端子１２は、上記したように別体の金属で構成するのではなく、抵抗体１１と一対の金属端子１２とを一体の金属で構成してもよい。
【００２１】
上記したように本発明の一実施の形態においては、３つの脚部１２ａ、１２ｂ、１２ｃのうち、１２ａ、１２ｃを電圧測定用端子、１２ｂを電流用端子とし、１つの電流用端子に対してその両側に２つの電圧測定用端子を配置することができるため、電流が一方の電圧測定用端子より遠い位置を流れる場合でも、他方の電圧測定用端子の近傍を流れることになり、これにより、電圧測定用端子が測定できる電流が大きくなったり小さくなったりすることはなくなるため、同じ電流を流した場合、電圧測定用端子で検出される電圧値が変動するということを防止でき、その結果、電流値を精度よく検出できるという効果が得られるものである。
【００２２】
すなわち、図２に示すように、実装基板上において抵抗器の片側と接続されるランドパターン（グランド側）の幅が抵抗器の幅より広い場合、電流が一方の電圧測定用端子１４ａの近傍を流れる場合（実線）と、電流が他方の電圧測定用端子１４ｂの近傍を流れる場合（破線）があるが、電流用端子１３に対して電圧測定用端子１４ａ、１４ｂをその両側に配置するようにすれば、電流が一方の電圧測定用端子１４ａの近傍を流れる場合には、他方の電圧測定用端子１４ｂの近傍を流れる電流は小さく（電位が低く）なって検出される電圧も低くなるが、当該一方の電圧測定用端子１４ａの近傍を流れる電流はその分だけ大きく（電位が高く）なって検出される電圧が高くなる。したがって、一方の電圧測定用端子１４ａで検出された電圧と他方の電圧測定用端子１４ｂで検出された電圧を計算（加算）することによって、正確な電圧を検出することができるため、電流値を精度よく検出することができる。
【００２３】
また、一対の金属端子１２の先端部に２つのスリットを入れているため、表面積は大きくなり、これにより、抵抗体１１で発生した熱を効率的に外部に逃がすことができる。
【００２４】
なお、上記本発明の一実施の形態においては、一対の金属端子１２および脚部１２ａ、１２ｂ、１２ｃと抵抗体１１とを直線状に配置するようにしているが、図３に示すように、３つの脚部１２ａ、１２ｂ、１２ｃのすべてを下方に折り曲げてもよく、また、図４に示すように、電流用端子となる脚部１２ｂのみを下方に折り曲げてもよく、さらには、図５に示すように、２つの電圧測定用端子１２ａ、１２ｃのみを下方に折り曲げてもよい。
【産業上の利用可能性】
【００２５】
本発明に係る抵抗器は、電流値を精度よく検出できるものであり、特に各種電子機器の電流値を電圧値として検出するための低抵抗値の抵抗器等において有用となるものである。
【符号の説明】
【００２６】
１１  抵抗体
１２  一対の金属端子
１２ａ、１２ｂ、１２ｃ  脚部
【図１】
0005445193.tif 000002
【図２】
0005445193.tif 000003
【図３】
0005445193.tif 000004
【図４】
0005445193.tif 000005
【図５】
0005445193.tif 000006
【図６】
0005445193.tif 000007
【図７】
0005445193.tif 000008